(57)【要約】      （修正有）【課題】ジャケット等の移送時においては、皺の発生を有効に防止できるだけでなく、不要となった際には、リサイクルを可能としたハンガーを提供すること。【解決手段】ジャケット掛け部３にジャケットＺを掛けた状態において、ジャケットＺの襟の内面に襟当接部７が当接することにより、ジャケットＺの襟の型くずれを防止する。又、肩当接部８が、ジャケットＺの左右の肩の内面に当接することにより、ジャケットＺは型くずれが防止される。ズボン掛け部４は、ジャケット掛け部３の下位において板ダンボール２の中央に上下二段の切込み９、１０を設けることにより形成される。縦切り込み１２は、水平切込み１１の左右両端から垂直上方へ板ダンボール２を切り込むことにより形成される。下段側切起し片１３は板ダンボール２に下段切込み９を設けることにより形成される。【選択図】図１
2007159812.tif 000002
【特許請求の範囲】
【請求項１】
一枚の板ダンボールで形成され、衣料を掛けて立てた状態で移送できることを特徴とするダンボール製ハンガー。
【請求項２】
ジャケット掛け部、ズボン掛け部、スカート吊下げ部が形成されたことを特徴とする請求項１に記載のダンボール製ハンガー。
【請求項３】
補助板ダンボールを備え、この補助板ダンボールを組み合わせることによりロングドレスを掛けることを可能としたことを特徴とする請求項１又は請求項２に記載のダンボール製ハンガー。
【請求項４】
前記ジャケット掛け部は、前記板ダンボールの上端縁中央から上方に突出して設けられてジャケットの襟部内面に当接する襟当接部と、この襟当接部から左右に斜め下方に向けて設けられてジャケットの肩部内面に当接する肩当接部とを備えたことを特徴とする請求項２又は請求項３に記載のダンボール製ハンガー。
【請求項５】
前記ズボン掛け部は、前記板ダンボールに切込みを設けることにより形成され、この切込みにズボンを通すことによりズボンを掛けることが可能であることを特徴とする請求項２に記載のダンボール製ハンガー。
【請求項６】
前記板ダンボールの下部に差込部を設け、補助板ダンボールにワンピースを掛けた状態で、この補助板ダンボールの下部をこの差込部に差し込み、且つ、この補助板ダンボールの上部は前記板ダンボールに形成された切起こし片に挟むことにより、ロングドレスを掛けた状態の補助板ダンボールを前記板ダンボールに組み合わせたことを特徴とする請求項３に記載のダンボール製ハンガー。
【発明の詳細な説明】
【技術分野】
【０００１】
本発明は、ダンボール製ハンガーに関するものである。
【背景技術】
【０００２】
従来、一般に、ジャケット、ズボン、スカート等を製作メーカで仕立てた後、ハンガーに掛けた状態で問屋や小売店に移送していた。
【発明の開示】
【発明が解決しようとする課題】
【０００３】
ところで、従来においては、ジャケット等の製作メーカから問屋や小売店に移送する間において、前記ジャケット等は平に寝かせて積み上げた状態で移送するため、移送途中において皺が発生しやすく、このため、小売店に届いた後に、ジャケット等にアイロンを当てて皺を取る作業が必要になっていた。
【０００４】
又、小売店においては、移送用のハンガーから店舗用のハンガーに変えて、ジャケット等を陳列するために、移送用のハンガーの処分に多大のコストが必要となるという問題があった。
【０００５】
本発明は前記背景技術の問題に鑑みて成されたもので、その目的は、ジャケット等の移送時においては、皺の発生を有効に防止できるだけでなく、不要となった際には、リサイクルを可能としたハンガーを提供することにある。
【課題を解決するための手段】
【０００６】
請求項１に記載のダンボール製ハンガーは、一枚の板ダンボールで形成され、衣料を掛けた状態で立てて移送できることを特徴とするものである。
【０００７】
請求項２に記載のダンボール製ハンガーは、請求項１に記載のダンボール製ハンガーにおいて、ジャケット掛け部、ズボン掛け部、スカート吊下げ部が形成されたことを特徴とするものである。
【０００８】
請求項３に記載のダンボール製ハンガーは、請求項１又は請求項２に記載のダンボール製ハンガーにおいて、補助板ダンボールを備え、この補助板ダンボールを組み合わせることによりロングドレスを掛けることを可能としたことを特徴とするものである。
【０００９】
請求項４に記載のダンボール製ハンガーは、請求項２又は請求項３に記載のダンボール製ハンガーにおいて、ジャケット掛け部は、前記板ダンボールの上端縁中央に上方に突出して設けられてジャケットの襟部内面に当接する襟当接部と、この襟当接部から左右に斜め下方に向けて設けられてジャケットの肩部内面に当接する肩当接部とを備えたことを特徴とするものである。
【００１０】
請求項５に記載のダンボール製ハンガーは、請求項２に記載のダンボール製ハンガーにおいて、ズボン掛け部は、前記板ダンボールに切込みを設けることにより形成され、この切込みにズボンを通すことによりズボンを掛けることが可能であることを特徴とするものである。
【００１１】
請求項６に記載のダンボール製ハンガーは、請求項３に記載のダンボール製ハンガーにおいて、板ダンボールの下部に差込部を設け、補助板ダンボールにワンピースを掛けた状態で、この補助板ダンボールの下部をこの差込部に差し込み、且つ、この補助板ダンボールの上部は前記板ダンボールに形成された切起こし片に挟むことにより、ワンピースを掛けた状態の補助板ダンボールを前記板ダンボールに組み合わせることを特徴とするものである。
【発明の効果】
【００１２】
請求項１に記載の発明によれば、ハンガーがダンボールで形成されているため、軽量で扱い易い上に、リサイクルが可能であるという作用効果を奏する。
【００１３】
請求項２に記載の発明によれば、１つのハンガーにジャケット、ズボン、スカートを掛けることが可能であるため、１つのハンガーを他用途に用いることが可能である。
【００１４】
請求項３に記載の発明によれば、ハンガーに補助板ダンボールを組み合わせることにより、ロングドレスを掛けることも可能となる。
【００１５】
請求項４に記載の発明によれば、襟当接部がジャケットの襟に当接し、肩当接部がジャケットの肩に当接することにより、ジャケットの型くずれを防止する。
【００１６】
請求項５に記載の発明によれば、板ダンボールにカッター等で切込みを設けることにより、ズボン掛け部を形成することが可能である。
【００１７】
請求項６に記載の発明によれば、補助板ダンボールを板ダンボールに容易に組み合わせることができる。
【発明を実施するための最良の形態】
【００１８】
図１は本実施形態に係るハンガーにジャケットを掛けた状態の斜視図を示す。図２は本実施形態に係るスカート吊下げ部を示す図である。図３は本実施形態に係るハンガーにズボンを掛けた状態の斜視図を示す。図４は本実施形態に係るハンガーにスカートを掛けた状態の斜視図を示す。図５は本実施形態に係るハンガーにロングドレスを掛けた状態の斜視図を示す。図６はハンガーの展開図を示す平面図である。図７は図６のハンガー１の左側面図である。
【００１９】
図１に示すように、ハンガー１は、一枚の板ダンボール２によって形成される。ハンガー１は、一枚の板ダンボール２にジャケット掛け部３と、ズボン掛け部４と、図２に示すように、スカート吊下部５とを形成した形状である。又、図５を参照して後述するように、このハンガー１に補助板ダンボール６を組み合わせることにより、ワンピースのようなロングドレスＬを掛けることができるものである。補助板ダンボール６は一枚の板ダンボールによって形成される。
【００２０】
図１に示すように、前記板ダンボール２の幅は、ジャケットＺの幅と略同幅であって、前記ジャケット掛け部３は、ジャケットＺを掛けることのできる部位である。ジャケット掛け部３は、ジャケットＺが上側から被せられるようにして掛けられる形状に形成されている。ジャケット掛け部３は、ジャケットＺの襟部内面に当接する襟当接部７と、ジャケットＺの左右の肩部内面に当接する左右の肩当接部８、８とを備えている。
【００２１】
前記襟当接部７は、板ダンボール２の上端縁の中央から上方へ突出するように設けられてジャケットＺの襟部内面に当接する形状を成している。
【００２２】
前記肩当接部８は、前記襟当接部７から左右方向へ向けて斜め下方へ傾斜する形状に形成されている。
【００２３】
図１中、二点鎖線で示すように、前記ハンガー１の上方からジャケットＺを被せるようにして前記ジャケット掛け部３にジャケットＺを掛けるのであるが、このジャケット掛け部３にジャケットＺを掛けた状態において、ジャケットＺの襟の内面に前記襟当接部７が当接することにより、ジャケットＺの襟の型くずれを防止する。又、前記肩当接部８、８が、ジャケットＺの左右の肩の内面に当接することにより、ジャケットＺは型くずれが防止された状態で掛けられる。
【００２４】
次に、前記ズボン掛け部４について説明する。ズボン掛け部４は、前記ジャケット掛け部３の下位において板ダンボール２の中央に上下二段の切込み９、１０を設けることにより形成される。下段側切込み９は、水平切込み１１と、縦切込み１２、１２とによって形成される。縦切込み１２は、水平切込み１１の左右両端から垂直上方へ板ダンボール２を切り込むことにより形成される。このように、板ダンボール２に下段側切込み９を形成することにより、下段側切起し片１３が形成される。
【００２５】
又、上段側切込み１０は、水平切込み１４と、縦切込み１５、１５と、傾斜切込み１６、１６とを有した形状である。縦切込み１５、１５は、水平切込み１４の左右両端から上方へ向けて切り込まれた形状である。傾斜切込み１６、１６は、各縦切込み１５の上端から斜め上方へ向けて切り込まれ、二つの傾斜切込み１６、１６は、ハ字状を成すように設けられている。このように、板ダンボール２に上段側切込み１０を形成することにより、上段側切起し片１７が形成される。
【００２６】
前記上段側切込み１０と下段側切込み９は、板ダンボール２をカッター等で切り込むことにより形成される。
【００２７】
そして、図３に示すように、図３中二点差線で示すズボンＰの裾を、ズボン掛け部４の上段側切込み１０から挿入し、板ダンボール２の背面側を通して、板ダンボール２の背面側から下段側切込み９を通して前側へ引き出して、図３に示すように下方へ垂れ下げる。
【００２８】
次に、図３に示す状態において、下段側切起し片１３と上段側切起し片１７を押すことにより、下段側切起し片１３と下段側切込み９、並びに、上段側切起し片１７と上段側切込み１０によってズボンＰを挟むことにより、ズボンＰの落下を防止する。
【００２９】
次に、図２を参照して、前記スカート吊下げ部５、５について説明する。スカート吊下げ部５、５は、前記各ジャケット掛け部３の背面に設けられている。図２に示すように、スカート吊下げ部５、５は、各ジャケット掛け部３の背面に設けられた二つの円形孔１８、１８と、これら二つの円形孔１８、１８から下方へＵ字状に切り込まれた切込み１９とから構成される。Ｕ字状の切込み１９によって、Ｕ字状の切起し片２０が形成される。
【００３０】
図２に示すように、スカート掛け部５の切起し片２０を起立させ、スカートＳに設けられている吊り紐Ｔをこの切起し片２０の下側を通すようにして、この吊り紐Ｔをスカート吊下げ部５の円形孔１８に引っ掛ける。スカートＳに設けられている他方の吊り紐Ｔについても同様の作業を行うことにより、図４に示すように、スカートＳをスカート吊下げ部５に吊り下げることができる。
【００３１】
図５に示すように、補助板ダンボール６は前記ハンガー１と組み合わせることにより、ワンピースのようなロングドレスＬを掛けることができるものである。図５中、二点鎖線で示すように、補助板ダンボール６はロングドレスＬを二つ折りにして掛けることのできる高さを有する。補助板ダンボール６の下端には、突起２１が形成されている。この突起２１は、前記ハンガー１の下部に設けられた差込孔２２に差し込まれるものである。又、補助板ダンボール６の上部は、図５に示すように、ハンガー１の上段側切込み１０に差し込まれた状態で、上段側切起し片１７とハンガー１の表面との間によって挟持されるものである。
【００３２】
前記ハンガー１は、ジャケットＺ、ズボンＰ、スカートＳ、ロングドレスＬを掛けた補助ハンガーを組み付けた状態で自立できる強度を有する板ダンボール２によって形成されるものである。
【００３３】
図６は、前記ハンガー１を形成するための型紙２３を展開した状態の図である。型紙２３の上端の中央からは上方へ向けて長方形状の突片２４が設けられ、この突片２４には折曲げ部２５，・・・が設けられて、下方へ向けて突片２４が折曲げ可能となっている。この突片２４の上端からは長方形状の差込片２６が突出して設けられている。この差込片２６は、前記突片２４よりも狭い幅であって、前記突片２４の下位には、前記突片２４及び差込片２６が折り曲げられて前記差込片２６が差込み可能な差込孔２７が設けられている。前記突片２４が折り曲げられることにより、前記差込片２６が前記差込孔２７に差し込まれるものである。このように、前記突片２４が折り曲げられた状態で、前記差込片２６が前記差込孔２７に差し込まれることにより、前記ジャケット掛け部３の襟当接部７が形成されるものである。この場合、襟当接部７は、図７に示すように、角筒状に形成されることになる。
【００３４】
又、図６に示すように、前記突片２４を中心として左右には、複数の折曲げ部２８が設けられている。この複数の折曲げ部２８は、斜め下方へ扇状に広がるように設けられている。又、前記板紙２３の上端縁から上方へ突出する差込片２９が設けられ、更に、前記折曲げ部２８の下位には差込孔３０が設けられて、差込孔３０に差込片２９が差し込まれるようになっている。板紙２３を前記複数の折曲げ部２８において順次折曲げた後に、差込片２９を差込孔３０に差し込むことにより、図１等に示すように、肩当接部８が形成されるものである。
【００３５】
又、図６に示すように、前記板紙２３の下端縁の中央からは下方へ向けて突片３１が形成され、更に、この突片３１の下端からは、突片３１よりも狭い幅の差込片３２が下方へ向けて突出して設けられている。突片３１及び差込片３２には、複数の折曲げ部３３が設けられて折曲げ可能になっていると共に、突片３１よりも上位には差込孔３４が形成されて、この差込孔３４に前記差込片３２が差し込まれるようになっている。この場合、突片３１及び差込片３２は図７に示すように、角筒状を成すように折り曲げられて、差込片３２が前記差込孔３４に差し込まれるようになっている。このようにして、図１及び図７に示す基台部３５が形成されるものである。そして、このように、角筒状に形成された基台部３５の上面には、図５及び図７に示すように、前述の補助板ダンボール６に設けられている差込片２１が差し込まれる差込孔２２が形成されている。
【００３６】
次に、作用について説明する。図１中、二点鎖線で示すように、ハンガー１にジャケットＺ、ズボンＰを掛け、又、図２に示すように、スカート吊下げ部５にスカートＳを吊り下げ、更に、図３に示すように、ズボン掛け部４にズボンＰを掛ける。
【００３７】
又は、図５に示すように、補助板ダンボール６にロングドレスＬを折り畳んで掛けた状態において、この補助板ダンボール６の下端の差込片２１をハンガー１の差込孔２２に差込み、且つ、この補助板ダンボール６の上部をハンガー１の上段側切起し片１７に挟む。
【００３８】
次に、前述のように、ジャケットＺを掛けたハンガー１単独、又は、ハンガー１に補助板ダンボール６を組み合わせて、図８に示すように、収容箱Ｈ内に立てた状態で並べて収容する。尚、図９に示すように、複数のハンガー１を収容箱Ｈ内に収容する場合には、ハンガー１同士の間隔を保持片Ａによって保つようにすることができる。
【００３９】
前記保持片Ａは、一枚の長方形状の板ダンボールＢに複数の孔Ｃが所定間隔を開けて設けられ、且つ、板ダンボールＢの両端が折り曲げられて両端に押当て部Ｄが形成された形状である。保持片Ａの孔Ｃは、ハンガー１の襟当接部７が差し込まれる形状であって、図９に示すように、ハンガー１が立てられた状態でハンガー１の襟当接部７が差し込まれてハンガー１同士の間隔が所定間隔に保たれるようになっている。この保持片Ａは、収容箱Ｈの大きさに合わせた適切な位置で折り曲げられることにより、前記押当て部Ｄが収容箱Ｈの内面に押当てられて保持片Ａのガタツキが防止されるものである。
【００４０】
そして、以上のように、ハンガー１は収容箱Ｈ内に収容された状態で衣料の製作メーカから問屋や小売店に移送される。その後、ハンガーをダンボール業者に渡すことにより、ダンボールのリサイクル処理が実行される。このため、従来技術に比較して、ハンガー１の廃棄処理をすることなく、資源の有効利用を図ることができる。
【００４１】
又、ハンガー１がダンボールで形成されて軽量であるため、容易に扱うことができる上に、運送が容易となる作用効果を奏するものである。
【００４２】
又、ハンガー１がダンボールで形成されているため、ハンガー１自体が湿気を吸収することができて、衣料に作用する湿気による悪影響を改善することができる。
【００４３】
更に、板ダンボール２は、図１０に示すように、表裏二枚の紙材Ｅ，Ｆに挟まれて波形状の心材Ｇが設けられた構成である。板ダンボール２は、前記心材Ｇの連続する方向（図中、矢示Ｘ方向）よりもこの方向Ｘに直交する方向（図中、矢示Ｙ方向）の強度が構造上強いという特徴がある。このため、前記心材Ｇの連続するＸ方向を水平にし、前記Ｙ方向を垂直方向になるようにしてハンガー１を形成することにより、荷重に対して強度の強いハンガー１を形成することができるものである。
【図面の簡単な説明】
【００４４】
【図１】ハンガーにジャケットを掛けた状態の斜視図である。
【図２】スカート吊下げ部を示す図である。
【図３】ハンガーにズボンを掛けた状態の斜視図である。
【図４】ハンガーにスカートを掛けた状態の斜視図である。
【図５】ハンガーにロングドレスを掛けた状態の斜視図である。
【図６】ハンガーの板紙の展開図である。
【図７】図６に示すハンガーの左側面図である。
【図８】ハンガーを収容箱内に収容した状態の斜視図である。
【図９】ハンガーを収容箱内に収容した状態の斜視図である。
【図１０】板ダンボールの構成を示す図である。
【符号の説明】
【００４５】
１  ハンガー
２  板ダンボール
３  ジャケット掛け部
４  ズボン掛け部
５  スカート掛け部
６補助板ダンボール
７  襟当接部
８  肩当接部
【図１】
2007159812.tif 000003
【図２】
2007159812.tif 000004
【図３】
2007159812.tif 000005
【図４】
2007159812.tif 000006
【図５】
2007159812.tif 000007
【図６】
2007159812.tif 000008
【図７】
2007159812.tif 000009
【図８】
2007159812.tif 000010
【図９】
2007159812.tif 000011
【図１０】
2007159812.tif 000012